(57)【要約】  本発明の冷蔵庫は、貯蔵室を備えるインナーケースと、前記貯蔵室を開閉するドアと、前記インナーケースの両側をカバーし、金属材質で形成される複数のサイドパネルと、前記インナーケースを支持するケースサポーターと、前記ケースサポーターの下側を支持し、少なくとも一部が前記ドアの下側及び前記ケースサポーターと離隔するベースと、前記ドアと隣接した前記ベースの上面に付着し、前記複数のサイドパネルと同じ材質で形成されるか、金属質感を有するベースパネルとを含む。
2020531781.tif 000002
【特許請求の範囲】
【請求項１】
冷蔵庫であって、
貯蔵室を備えるインナーケースと、
前記貯蔵室を開閉するドアと、
前記インナーケースの両側をカバーし、金属材質で形成される複数のサイドパネルと、
前記インナーケースを支持するケースサポーターと、
前記ケースサポーターの下側を支持し、少なくとも一部が前記ドアの下側及び前記ケースサポーターと離隔するベースと、
前記ドアと隣接した前記ベースの上面に付着し、前記複数のサイドパネルと同じ材質で形成されるか、金属質感を有するベースパネルと、を備えてなる、冷蔵庫。
【請求項２】
前記ベースパネルは、前記ドアの下面と離隔し、前記ドアと上下方向に重なるように配置される、請求項１に記載の冷蔵庫。
【請求項３】
前記貯蔵室を冷却するために、熱電素子と、冷却シンクと、ヒートシンクを備える冷却装置をさらに備え、
前記ベースと前記ケースサポーターとの間の離隔した空間は、前記ヒートシンクと熱交換された空気を排出するための放熱流路を形成する、請求項１に記載の冷蔵庫。
【請求項４】
前記放熱流路には、前記放熱流路をカバーし、空気が通過するための複数のホールを含む遮蔽部材が備えられる、請求項３に記載の冷蔵庫。
【請求項５】
前記ドアの下端と前記ベースとの間に放熱流路の出口が形成され、
前記遮蔽部材は、前記放熱流路の出口から後方に離隔した位置に配置される、請求項４に記載の冷蔵庫。
【請求項６】
前記遮蔽部材は、前記複数のホールを含む遮蔽ボディと、前記遮蔽ボディから延長される固定部と、を備え、
前記ベースには、前記固定部が収容される収容部が形成される、請求項５に記載の冷蔵庫。
【請求項７】
前記ベースパネルは、前記固定部が貫通するためのスロットを備えてなる、請求項６に記載の冷蔵庫。
【請求項８】
前記遮蔽ボディには、前記ベースサポーターと取付けられるための取付部材が貫通する取付ホールが備えられる、請求項６に記載の冷蔵庫。
【請求項９】
前記ケースサポーターに設置されるセンシングユニットと、
前記放熱流路に光を照射するための照明ユニットと、をさらに備え、
前記センシングユニットと前記照明ユニットは、前記遮蔽部材より前記放熱流路の出口に近く位置する、請求項５に記載の冷蔵庫。
【請求項１０】
前記センシングユニットは、前記ケースサポーターから前記放熱流路上に突出し、
前記遮蔽部材には、前記センシングユニットが通過するための開口が備えれる、請求項９に記載の冷蔵庫。
【請求項１１】
前記ケースサポーターは、前記照明ユニットが設置されるための照明ユニット設置部と、前記照明ユニットを設置するための入口を備え、
前記入口は、透過部によってカバーされ、
前記透過部は、前記センシングユニットより前記放熱流路の出口に近く位置する、請求項９に記載の冷蔵庫。
【請求項１２】
前記透過部は、前記ベースパネルと離隔し、前記ベースパネルと上下方向に重なるように配置される、請求項１１に記載の冷蔵庫。
【請求項１３】
前記照明ユニット設置部は、上下方向に延長される設置面と、前記設置面の上端部から後方に傾斜するように延長される反射面と、を備え、
前記照明ユニットは、前記設置面に設置されるＰＣＢと、前記ＰＣＢに設置される１つ以上の発光部と、を備え、
前記１つ以上の発光部は、前記反射面と対向するように配置される、請求項１１に記載の冷蔵庫。
【請求項１４】
前記センシングユニットは、前記ベースパネルと離隔し、前記ベースパネルと上下方向に重なるように配置される、請求項９に記載の冷蔵庫。
【請求項１５】
前記ベースの後面には、使用者が把持するためのハンドルが備えられ、
前記ハンドルは、冷蔵庫全体的に見るとき最も後側に位置する、請求項１に記載の冷蔵庫。
【発明の詳細な説明】
【技術分野】
【０００１】
本明細書は、冷蔵庫に関するものである。
【背景技術】
【０００２】
一般的に、冷蔵庫は、キャビネットに備えられた貯蔵室に食べ物のような対象物を低温で貯蔵できる家電機器である。前記貯蔵室は、断熱壁で取囲まれるので、前記貯蔵室の内部は外部温度より低い温度となるように維持される。
【０００３】
前記貯蔵室の温度帯域によって、前記貯蔵室は、冷蔵室または冷凍室に区分することができる。そして、食べ物の種類や状態によって食べ物を冷蔵室または冷凍室に保管することができる。
前記冷蔵庫は、台所に他の家電機器と一緒にビルトインタイプで提供される。この場合、台所の家具と調和をなすように前記冷蔵庫の外観が設計されている。
また、最近では、使用者の多様な要求に応じて、冷蔵庫を台所ではなく居間や部屋に置いて使用する等冷蔵庫の設置位置が多様化している。
【０００４】
前記冷蔵庫の設置位置が多様化することで、前記冷蔵庫の外観が前記冷蔵庫が設置されるための空間の家具と調和をなすように前記冷蔵庫の外観が設計されている。
一方、韓国登録特許公報第１０‐１３２３８７６号には、熱電素子を備えた冷却パッケージング及びそれを採用した冷蔵庫が開示される。
【発明の概要】
【発明が解決しようとする課題】
【０００５】
本実施例は、外観が一体化した美感を有することのできる冷蔵庫を提供する。
本実施例は、放熱流路上に照明ユニットから光を照射して、冷蔵庫が照明機能をすることができる冷蔵庫を提供する。
本実施例は、放熱流路側に異質物が流入することが防止される冷蔵庫を提供する。
【課題を解決するための手段】
【０００６】
一側面による冷蔵庫は、貯蔵室を備えるインナーケースと、前記貯蔵室を開閉するドアと、前記インナーケースの両側をカバーし、金属材質で形成される複数のサイドパネルと、前記インナーケースを支持するケースサポーターと、前記ケースサポーターの下側を支持し、少なくとも一部が前記ドアの下側及び前記ケースサポーターと離隔するベースと、前記ベースの上面に付着し、前記複数のサイドパネルと同じ材質で形成されるか、金属質感を有するベースパネルと、を含むことができる。
前記ベースパネルは、前記ドアの下面と離隔し、前記ドアと上下方向に重なるように配置される。
前記冷蔵庫は、前記貯蔵室を冷却するために、熱電素子と、冷却シンクと、ヒートシンクを備える冷却装置をさらに含むことができる。
前記ベースと前記ケースサポーターとの間の離隔した空間は、前記ヒートシンクと熱交換された空気を排出するための放熱流路を形成することができる。
前記放熱流路には、前記放熱流路をカバーし、空気が通過するための複数のホールを含む遮蔽部材が備えられる。
前記ドアの下面と前記ベースとの間に放熱流路の出口が形成される。前記遮蔽部材は、前記放熱流路の出口から後方に離隔して位置する。
【０００７】
前記遮蔽部材は、前記複数のホールを含む遮蔽ボディと、前記遮蔽ボディから延長される固定部を含むことができる。前記ベースには、前記固定部が収容される収容部が形成される。
前記ベースパネルは、前記固定部が貫通するためのスロットを含むことができる。
前記遮蔽ボディには、前記ベースサポーターと取付けられるための取付部材が貫通する取付ホールが備えられる。
前記冷蔵庫は、前記ケースサポーターに設置されるセンシングユニットと、前記放熱流路に光を照射するための照明ユニットをさらに含むことができる。
前記センシングユニットと前記照明ユニットは、前記遮蔽部材より前記放熱流路の出口に近く位置する。
【０００８】
前記センシングユニットは、前記ケースサポーターから前記放熱流路上に突出し、前記遮蔽部材には、前記センシングユニットが通過するための開口が備えられる。
前記ケースサポーターは、前記照明ユニットが設置されるための照明ユニット設置部と、前記照明ユニットを設置するための入口を含むことができる。
前記入口は透過部によってカバーされる。前記透過部は、前記センシングユニットより前記放熱流路の出口に近く位置する。
前記透過部は、前記ベースパネルと離隔し、前記ベースパネルと上下方向に重なるように配置される。
前記照明ユニット設置部は、上下方向に延長される設置面と、前記設置面の上端部から後方に傾斜するように延長される反射面を含むことができる。
【０００９】
前記照明ユニットは、前記設置面に設置されるＰＣＢと、前記ＰＣＢに設置される１つ以上の発光部を含むことができる。前記１つ以上の発光部は、前記反射面と対向するように配置される。
前記センシングユニットは、前記ベースパネルと離隔し、前記ベースパネルと上下方向に重なるように配置される。
前記ベースの後面には、使用者が把持するためのハンドルが備えられ、前記ハンドルは、冷蔵庫全体的に見るとき最も後側に位置してもよい。
【発明の効果】
【００１０】
提案される発明によれば、空間を形成する部品が外部に露出する構造において、部品が冷蔵庫外観を形成するパネルと同じ材質で形成されるか、同じ質感を有するパネルによってカバーされるので、冷蔵庫全体的に一体化した美感を有することのできる長所がある。
また、放熱流路上に照明ユニットから光を照射して、冷蔵庫が照明機能をすることができる長所がある。
特に、光が照射される部分が金属質感を有するか、金属材質で形成されるので、光が反射して使用者が容易に光を確認することができる。
また、放熱流路に遮蔽部材が備えられることで、空気は通過が可能であり、所定大きさ以上の異質物は前記放熱流路に引入することが防止される。
【図面の簡単な説明】
【００１１】
【図１】本発明の一実施例に係る冷蔵庫の斜視図。
【図２】図１においてドアが開かれた状態を示す斜視図。
【図３】図１の冷蔵庫の平面図。
【図４】本発明の一実施例に係るキャビネットの分解斜視図。
【図５】本発明の一実施例に係るベースの斜視図。
【図６】本発明の一実施例に係るベースの斜視図。
【図７】図５のベースにベースパネルが結合された状態を示す図面。
【図８】放熱流路に遮蔽部材が位置された状態を示す図面。
【図９】本発明の一実施例に係るセンシングユニットがケースサポーターに設置された様子を示す図面。
【図１０】本発明の一実施例に係る照明ユニットを示す断面図。
【図１１】照明ユニットから光がベースパネルに照射される様子を示す図面。
【図１２】本発明の一実施例に係る遮蔽部材の斜視図。
【図１３】本発明の一実施例に係る遮蔽部材が放熱流路に配置された状態を示す図面。
【図１４】本発明の一実施例に係る冷蔵庫の垂直断面図。
【図１５】本発明の一実施例に係る表示部で表示される情報を示す図面。
【図１６】選択された照明モードに応じた発光部の作動方法を説明するための図面。
【発明を実施するための形態】
【００１２】
以下、図面を参照して本発明の実施例に対して具体的に説明することにする。
図１は本発明の一実施例に係る冷蔵庫の斜視図であり、図２は図１においてドアが開かれた状態を示す斜視図であり、図３は図１の冷蔵庫の平面図である。
【００１３】
図１〜図３を参照すると、本発明の一実施例に係る冷蔵庫１は、貯蔵室１１１を備えるキャビネット１０と、前記キャビネット１０に連結され、前記貯蔵室１１１を開閉するドア２０を含むことができる。
【００１４】
前記キャビネット１０は、前記貯蔵室１１１を形成するインナーケース１１０と、前記インナーケース１１０を取囲むアウターケース１００を含むことができる。
前記アウターケース１００は、金属材質からなることができる。例えば、アウターケース１００は、アルミニウム(Al)材質からなることができる。
【００１５】
前記アウターケース１００は、少なくとも２回折り曲げられて形成される。または、前記アウターケース１００は、複数の金属プレートが接合されて形成されてもよい。
一例として、前記アウターケース１００は、一対のサイドパネル１０２、１０３を含むことができる。
前記インナーケース１１０は、前記一対のサイドパネル１０２、１０３の間に位置された状態で、前記アウターケース１００に直接または間接的に固定される。
前記一対のサイドパネル１０２、１０３の前端１０２ａは、前記インナーケース１１０の前面より前方に位置してもよい。
そして、前記ドア２０の左右幅は、前記一対のサイドパネル１０２、１０３の間の距離と同一またはより小さい。
よって、前記一対のサイドパネル１０２、１０３の間には、前記ドア２０が位置できる空間が形成される。
一例として、前記ドア２０が前記貯蔵室１１１を閉じた状態で、前記ドア２０は、前記一対のサイドパネル１０２、１０３の間に位置してもよい。
【００１６】
このとき、前記ドア２０が前記貯蔵室１１１を閉じた状態で、前記ドア２０と前記キャビネット１０の外観が一体感をなすように、前記ドア２０の前面は、前記各サイドパネル１０２、１０３の前端１０２ａと同一平面上に位置してもよい。
即ち、前記ドア２０の前面及び前記各サイドパネル１０２、１０３の前端１０２ａが前記冷蔵庫１の前面外観を形成することができる。
前記ドア２０は、一例として前記キャビネット１０にレールアセンブリー９０によって連結されてもよい。
【００１７】
よって、前記ドア２０は、前記キャビネット１０に連結された状態で、前後にスライディング(sliding)方式で移動しながら前記貯蔵室１１１を開閉することができる。
【００１８】
本実施例によれば、前記冷蔵庫１を台所や居間、部屋等の狭い空間に配置しても、前記ドア２０がスライディング方式で貯蔵室１１１を開閉するので、周辺の構造物と干渉することなく前記ドア２０を開放できる長所がある。
前記レールアセンブリー９０は、一側が前記ドア２０に連結され、他側が前記インナーケース１１０に連結される。
前記ドア２０は、ウッド(wood)材質の前面パネル２１０と、前記前面パネル２１０の背面に結合されるドアライナー２３０を含むことができる。
前記前面パネル２１０と前記ドアライナー２３０は、一例としてスクリュー(screw)のような取付部材によって取り付けられてもよい。
【００１９】
前記前面パネル２１０と前記ドアライナー２３０は発泡空間を形成し、前記発泡空間に発泡液が充填されることで、前記前面パネル２１０と前記ドアライナー２３０の間に断熱材が備えられてもよい。
前記ドア２０を開放するために使用者が前記ドア２０を掴めるように、前記ドア２０は使用者の手が入れるハンドル用空間２９０を定義することができる。
前記ハンドル用空間２９０は、一例として前記ドアライナー２３０の上側一部が下方に凹むことで形成されてもよい。
【００２０】
前記ハンドル用空間２９０は、前記ドア２０が前記貯蔵室１１１を閉じた状態で、前記前面パネル２１０と前記キャビネット１０との間に位置してもよい。よって、使用者は、前記ドア２０が前記貯蔵室１１１を閉じた状態で、前記ハンドル用空間２９０に手を入れて前記ドア２０を引張って前記ドア２０を開放することができる。
本実施例によれば、前記ドア２０が閉じられた状態で、ハンドルのような構造が外部に突出しないので、冷蔵庫１の美感が向上する長所がある。
【００２１】
前記冷蔵庫１の高さは、制限されるものでないが、一般的な成人の身長より低くてもよい。前記冷蔵庫１の容量が低いほど、前記冷蔵庫１の高さは低くなってもよい。
【００２２】
本実施例のように、前記ドア２０の上側にハンドル用空間２９０が存在する場合、前記冷蔵庫１の高さが低くなっても、使用者が立っている状態または座っている状態で前記ドア２０を容易に開放できる長所がある。
一方、前記一対のサイドパネル１０２、１０３のそれぞれの上端部１０２ｂは、前記インナーケース１１０の上端部より高く位置することができる。
【００２３】
よって、前記インナーケース１１０の上側には空間が形成され、前記空間にはキャビネットカバー１９０が位置することができる。前記キャビネットカバー１９０は、前記キャビネット１０の上面外観を形成することができる。即ち、前記キャビネットカバー１９０は、冷蔵庫１の上面外観を形成する。
【００２４】
前記キャビネットカバー１９０は、前記インナーケース１１０に直接固定されてもよく、前記インナーケース１１０を取囲むミドルプレート１５０に固定されてもよい。
【００２５】
前記キャビネットカバー１９０が前記インナーケース１１０をカバーした状態で、前記キャビネットカバー１９０は、前記一対のサイドパネル１０２、１０３の間に位置することができる。
【００２６】
そして、前記キャビネットカバー１９０と前記キャビネット１０の外観が一体感をなすように、前記キャビネットカバー１９０の上面は、前記各サイドパネル１０２、１０３の上端部１０２ｂと同一平面または同一高さ上に位置することができる。
前記キャビネットカバー１９０は、一例としてウッド材質からなることができる。
【００２７】
本実施例によれば、前記ドア２０の前面パネル２１０及び前記キャビネットカバー１９０がそれぞれウッド材質で形成されるので、前記ドア２０が閉じられた状態で、前記ドア２０と前記キャビネットカバー１９０の間に材質の統一性があり美感が向上する長所がある。
【００２８】
さらに、冷蔵庫の高さが低い場合には、使用者が前記キャビネットカバー１９０を肉眼で確認できるが、前記キャビネットカバー１９０がウッド材質で形成されることで、基本的な美感が向上するだけではなく、前記冷蔵庫１が位置される周辺の家具と一体感をなすことができる長所がある。
本実施例の冷蔵庫１は、一例としてスモールサイドテーブル冷蔵庫として使用することができる。
【００２９】
スモールサイドテーブル冷蔵庫は、食べ物の貯蔵機能以外にも、スモールサイドテーブルの機能を兼ねることができる。所謂、台所に置かれる一般冷蔵庫とは違い、スモールサイドテーブル冷蔵庫は、寝室のベッドの隣に置いて使用することができる。
【００３０】
本実施例によれば、前記キャビネットカバー１９０及び前面パネル２１０がウッド材質で形成されるので、冷蔵庫１を寝室に置いても周辺の家具と調和をなすことができる。
【００３１】
使用者の便宜のために、スモールサイドテーブル冷蔵庫の高さは、一例としてベッドの高さに近いことが好ましく、一般冷蔵庫より高さが低くコンパクトに形成される。
【００３２】
前記キャビネットカバー１９０の前面１９０ａは、前記インナーケース１１０の前面より前方に位置してもよい。よって、前記ドア２０が前記貯蔵室１１１を閉じた状態で、前記キャビネットカバー１９０が前記ドアライナー２３０の一部を上側でカバーすることができる。
前記冷蔵庫１は、前記貯蔵室１１１に収容される１つ以上の引き出しアセンブリー３０、３２をさらに含むことができる。
収納空間の効率化のために、前記貯蔵室１１１に複数の引き出しアセンブリー３０、３２が備えられる。
【００３３】
複数の引き出しアセンブリー３０、３２中の一部は、前記貯蔵室１１１内に位置が固定された状態で存在してもよく、レールに連結されてレールによってスライディング可能に配置されてもよい。
または、複数の引き出しアセンブリー３０、３２中の一部は、前記ドア２０に連結され、前記ドア２０と一緒にスライディング引入及び引出されてもよい。
【００３４】
または、複数の引き出しアセンブリー３０、３２中の一部は、前記ドア２０の開放過程で、開放初期に前記ドア２０と一緒にスライディング引出され、所定距離引き出された位置で停止するように構成されてもよい。
以下、キャビネット１０の構造に対して詳細に説明することにする。
図４は、本発明の一実施例に係るキャビネットの分解斜視図である。
【００３５】
図１〜図４を参照すると、本発明の一実施例に係るキャビネット１０は、アウターケース１００と、インナーケース１１０及びキャビネットカバー１９０を含むことができる。
【００３６】
前記アウターケース１００は、一対のサイドパネル１０２、１０３を含むことができる。前記一対のサイドパネル１０２、１０３は、前記冷蔵庫１の側面外観を形成することができる。
前記アウターケース１００は、前記冷蔵庫１の背面外観を形成するリアパネル１６０をさらに含むことができる。
【００３７】
よって、前記ドア２０を除いた冷蔵庫１の外観は、前記サイドパネル１０２、１０３、キャビネットカバー１９０及び前記リアパネル１６０によって形成される。
【００３８】
前記キャビネット１０は、前記インナーケース１１０を支持するケースサポーター１３０と、前記ケースサポーター１３０の下側に結合されるベース１２０をさらに含むことができる。
【００３９】
前記ベース１２０が前記ケースサポーター１３０に結合された状態で、前記ケースサポーター１３０の少なくとも一部は、前記ベース１２０と離隔して放熱流路(図８の５９０)を形成することができる。
【００４０】
前記ベース１２０は、前記サイドパネル１０２、１０３と結合される。一例として、前記ベース１２０の両側に両面テープが付着され、両面テープが前記サイドパネル１０２、１０３に付着される。
【００４１】
前記ベース１２０は、一例として前記ケースサポーター１３０とスクリューによって取付けられ、前記ケースサポーター１３０は、前記サイドパネル１０２、１０３にスクリューによって取り付けられてもよい。
【００４２】
前記キャビネット１０は、前記インナーケース１１０と一緒に発泡空間を形成するミドルプレート１５０をさらに含むことができる。前記ミドルプレート１５０は、前記インナーケース１１０と離隔した位置で、前記インナーケース１１０の上側及び後側をカバーすることができる。
前記キャビネット１０は、前記貯蔵室１１１を冷却するための冷却装置５０をさらに含むことができる。
【００４３】
前記冷却装置５０は熱電素子を含むことができる。前記熱電素子は、ペルティエ効果を活用して前記貯蔵室１１１の温度を低く維持することができる。前記冷却装置５０については後述することにする。
前記冷蔵庫１は、ディスプレイユニット７０をさらに含むことができる。
前記ディスプレイユニット７０は、前記キャビネットカバー１９０の後方に位置してもよい。
【００４４】
前記ディスプレイユニット７０は、ディスプレイケース７００と、前記ディスプレイケース７００に収容されるディスプレイＰＣＢ７１０と、情報が表示される表示部７２０を含むことができる。
【００４５】
前記表示部７２０は、情報を表示でき、使用者の命令を入力することができる。一例として、前記ディスプレイＰＣＢ７１０にセンサーと発光部が備えられ、センサーを利用して命令の入力を感知し、発光部を通じて情報を表示することができる。または、前記表示部７２０自体がタッチスクリーン形態で提供されて、使用者のタッチ命令の入力を受けて画面に情報を表示することができる。
【００４６】
前記表示部７２０の一側には、携帯機器のバッテリーを充電するために、前記携帯機器に連結された充電ケーブルが連結される１つ以上の充電用ポート７２２が備えられる。
【００４７】
図５及び図６は本発明の一実施例に係るベースの斜視図であり、図７は図５のベースにベースパネルが結合された状態を示す図面であり、図８は放熱流路に遮蔽部材が位置された状態を示す図面である。
【００４８】
図５〜図８を参照すると、本実施例のベース１２０は、一例としてプラスチック材質の射出物からなることができる。前記ベース１２０は、ボトムプレート１２２を含むことができる。
【００４９】
制限されるものではないが、前記ボトムプレート１２２の前後の長さは、前記各サイドパネル１０２、１０３の前後の長さと同一であるか類似してもよい。よって、前記ボトムプレート１２２は、前記冷蔵庫１の下面外観を形成することができる。
【００５０】
前記ベース１２０は、一例としてボルトによって前記ケースサポーター１３０に結合される。前記ボトムプレート１２２には、前記ボルトが取付けられるためのボルト取付ホール１２２ａが形成される。
【００５１】
前記ボトムプレート１２２には、強度を補強するための１つ以上のフォーミング部１２４が備えられてもよい。制限されるものではないが、前記複数のフォーミング部１２４が前後方向に離隔して形成されてもよい。
前記ボトムプレート１２２には、滑り防止部１２５が結合されてもよい。
前記滑り防止部１２５は、床面に置かれて前記冷蔵庫１が床面から滑ることを防止する。前記滑り防止部１２５は、一例としてゴム材質からなることができる。
前記ベース１２０には、前記滑り防止部１２５が結合されるための結合ホール１２５ａが形成される。
前記ベース１２０は、前記リアパネル１６０を支持する支持リブ１２７をさらに含むことができる。
【００５２】
前記支持リブ１２７は、前記ボトムプレート１２２の後端部から上方に延長される。前記支持リブ１２７の前面には、前記支持リブ１２７と前記ボトムプレート１２２の上面を連結する連結リブ１２７ａが備えられてもよい。
前記連結リブ１２７ａによって、前記支持リブ１２７が前記ボトムプレート１２２に対して変形することが防止される。
【００５３】
制限されるものではないが、複数の連結リブ１２７ａが水平方向に離隔して配置され、前記支持リブ１２７と前記ボトムプレート１２２を連結することができる。
【００５４】
前記支持リブ１２７の背面には、使用者が掴むためのハンドル１２６が備えられる。前記ハンドル１２６は、前記支持リブ１２７の背面から突出することができる。
【００５５】
前記ハンドル１２６は、使用者が前記冷蔵庫１を運ぼうとする際に把持することができる。前記ハンドル１２６が前記支持リブ１２７に備えられることで、前記冷蔵庫１が設置された状態で、前記ハンドル１２６は外部から見えない。
前記ハンドル１２６は、使用者の手が位置するための空間１２６ａを形成することができる。
制限されるものではないが、前記ハンドル１２６は「コ」状に形成されてもよい。
【００５６】
前記ハンドル１２６は、前記冷蔵庫１が壁周辺に位置するとき、前記冷蔵庫１が壁と離隔するようにする。これは、前記冷蔵庫１と壁の間に空間を形成して、空気が前記冷蔵庫１の内部に円滑に流入するようにするためである。
前記ハンドル１２６の内側には、強度を向上させるための複数の補強リブ１２６ｂが備えられる。
【００５７】
前記ベース１２０は、下方に落下する凝縮水を貯蔵する集水部１７０をさらに含むことができる。前記集水部１７０は、前記ボトムプレート１２２から上方に延長されて凝縮水貯蔵空間１７１を形成する。
一方、図８を参照すると、前記ドア２０の上下長さは、前記各サイドパネル１０２、１０３の上下の長さより短く形成される。
前記ドア２０の上面は、前記各サイドパネル１０２、１０３の上端部１０２ｂと同じ高さに位置する。
よって、前記ドア２０が前記貯蔵室１１１を閉じた状態で、前記ドア２０は前記ベース１２０より高く位置して前記ベース１２０の一部が外部に露出する。
即ち、前記ドア２０が前記ベース１２０と離隔することで、前記ドア２２０と前記ベース１２０の間に放熱流路５９０の出口５９３が形成される。
本発明で、前記各サイドパネル１０２、１０３は金属材質で形成される反面、前記ベース１２０はプラスチック材質で形成されるので、材質の同一感が落ちる。
よって、前記ベース１２０の上面前端には、前記各サイドパネル１０２、１０３と同じ材質感を有するベースパネル１０１が付着される。
前記ベースパネル１０１の前後の長さは、前記各サイドパネル１０２、１０３の前後の長さより短く形成される。
これとは別に、前記サイドパネル１０２、１０３と同じ材質のベースパネル１０１を前記ベース１２０の上側に付着してもよい。
前記ベースパネル１０１は、一例として前記ベース１２０に接着剤または両面テープによって付着される。
前記ベースパネル１０１は、前記ベース１２０に形成される一部のフォーミング部１２４をカバーすることができる。
前記ベースパネル１０１は、前記ドア２０と上下方向に重なるように配置される。
前記放熱流路５９０には、前記放熱流路５９０の出口５９３を通じて異質物が前記放熱流路５９０に引入することを防止するための遮蔽部材４０が備えられる。
【００５８】
前記遮蔽部材４０は、前記放熱流路５９０の出口５９３から内側に離隔した位置に配置される。これは、後述する照明ユニットから照射された光が前記ベースパネル１０１に照射されるようにして、使用者が前記ベースパネル１０１に照射された光を見ることができるようにするためである。
【００５９】
前記ベースパネル１０１には、前記遮蔽部材４０の一部が貫通するためのスロット１０１ａが形成され、前記ベース１２０には、前記スロット１０１ａを貫通した前記遮蔽部材の一部が収容される収容部１２４ａが形成される。前記収容部１２４ａは溝やホールからなることができる。
【００６０】
制限されるものではないが、前記ベースパネル１０１には複数のスロット１０１ａが左右方向に離隔して配置され、前記ベース１２０には複数の収容部１２４ａが左右方向に離隔して配置される。そして、前記ベースパネル１０１が前記ベース１２０に付着されると、前記スロット１０１ａが前記収容部１２４ａと整列する。
【００６１】
別の例として、前記ベースパネル１０１の後端部が前記収容部１２４ａより前方に位置してもよい。この場合には、前記ベースパネル１０１にスロットが形成されなくてもよい。
【００６２】
一方、前記冷蔵庫１は、センシングユニット８０をさらに含むことができる。前記センシングユニット８０は、一例として前記ケースサポーター１３０に設置されてもよい。
前記センシングユニット８０は、前記冷蔵庫１の前方に位置した使用者を感知するための構成である。
前記センシングユニット８０に対しては、図面を参照して後述することにする。
【００６３】
図９は本発明の一実施例に係るセンシングユニットがケースサポーターに設置された様子を示す図面であり、図１０は本発明の一実施例に係る照明ユニットを示す断面図であり、図１１は照明ユニットから光がベースパネルに照射される様子を示す図面である。
【００６４】
図９〜図１１を参照すると、前記ケースサポーター１３０は、サポータープレート１３１を含むことができる。前記サポータープレート１３１は、前記ベース１２０の上方に位置し、前記ベース１２０と離隔する。
前記サポータープレート１３１の下側には、前記センシングユニット８０が設置されるためのセンシングユニット設置部１４０が備えられる。
前記センシングユニット８０は、一例として前記サポータープレート１３１を左右方向に二等分する地点またはこれと隣接した地点に位置してもよい。
【００６５】
前記センシングユニット８０は、センサーと、前記センサーを保護するセンサーハウジング８１０を含むことができる。前記センサーは、一例としてＰＳＤセンサー(Position Sensitive Detector)であってもよい。
【００６６】
本実施例で、前記サポータープレート１３１の下側に前記センシングユニット設置部１４０が備えられることで、発泡液の充填完了後、前記センシングユニット設置部１４０に前記センシングユニット８０を設置することができる。従って、発泡過程で前記センシングユニット８０が高温の発泡液によって損傷する現象が防止される。
【００６７】
一例として、一対のセンシングユニット設置部１４０が左右に離隔して配置され、前記センサーハウジング８１０は、前記センシングユニット設置部１４０の前方から前記センシングユニット設置部１４０にスライディング結合される。このために、前記センサーハウジング８１０の両側には、前記センシングユニット設置部１４０と結合されるための延長部８１２が備えられる。
前記センシングユニット８０が前記ケースサポーター１３０に設置された状態で、前記センシングユニット８０は放熱流路５９２に突出する。
【００６８】
そして、前記ケースサポーター１３０と前記ベース１２０の間の空間によって、前記センシングユニット８０が外部に露出することができる。ただし、外部衝撃によって前記センシングユニット８０が損傷することが防止されるように、前記センシングユニット８０は、前記放熱流路５９０の出口５９３から後方に所定距離離隔した位置に配置される。
即ち、前記ドア２０が前記貯蔵室１１１を閉じた状態で、前記センシングユニット８０は、前記ドア２０の後方に位置してもよい。
【００６９】
前記センシングユニット８０が前記ケースサポーター１３０に設置された状態で、前記センシングユニット８０は、前記ベース１２０から所定高さ離隔した位置に配置される。
【００７０】
よって、前記ケースサポーター１３０と前記ベース１２０の間の空間に液体や異質物が引入されても、液体や異質物が前記センシングユニット８０と接触することが防止される。
本実施例の冷蔵庫１は、前記センシングユニット８０の感知結果に基づいて作動できる照明ユニット８２をさらに含むことができる。
前記照明ユニット８２は、前記ケースサポーター１３０に設置されてもよい。
一例として、前記ケースサポーター１３０には、前記照明ユニット８２が設置されるための照明ユニット設置部１４２が備えられる。
【００７１】
前記照明ユニット設置部１４２は、一例として前記サポータープレート１３１の下面が上方に凹むことで形成される。そして、前記ケースサポーター１３０には照明ユニット８２を設置するための入口１４５が形成される。
【００７２】
前記照明ユニット設置部１４２は、前記サポータープレート１３１から上方に延長される設置面１４３と、前記設置面１４３から前記サポータープレート１３１の後方に下向傾斜するように形成される反射面１４４を含むことができる。
前記反射面１４４は、前記設置面１４３の上端から後方に行くほど下側にラウンド状に延長される。
よって、前記設置面１４３と前記反射面１４４が、前記照明ユニット８２が収容されるための空間を形成する。
前記照明ユニット８２は、ＰＣＢ８２０と、前記ＰＣＢ８２０に設置される１つ以上の発光部８３０を含むことができる。
【００７３】
前記ＰＣＢ８２０は、一例として立てられた状態で前記設置面１４３に設置され、前記１つ以上の発光部８３０は、前記反射面１４４に対抗するように前記設置面１４３に設置されてもよい。
前記１つ以上の発光部８３０は、前記ドア２０から遠くなる方向に光を照射することができる。
【００７４】
前記ケースサポーター１３０には、前記発光部８３０から照射された光が透過する透過部１４６が結合されてもよい。前記透過部１４６は、前記照明ユニット設置部１４２の下側に位置する。前記透過部１４６は、前記入口１４５をカバーすることができる。
【００７５】
前記透過部１４６を透過した光は、前記サポータープレート１３１と前記ベース１２０の間の空間の前記放熱流路５９０に照射される。前記透過部１４６を透過した光は、一例として前記ベースパネル１０１の上面に照射される。
【００７６】
前記ベースパネル１０１の上面に照射された光は反射され、使用者は、前記放熱流路５０の出口５９３を通じて前記放熱流路５９０に光が照射されていることを確認することができる。
【００７７】
制限されるものではないが、前記センシングユニット８０が光の経路で障害物の役割をしないように、前記センシングユニット８０は、前記透過部１４６の後方に位置してもよい。即ち、前記透過部１４６が前記センシングユニット８０よりも前記放熱流路５９０の出口１９３に近く位置してもよい。
【００７８】
そして、前記透過部１４６を通過した光が前記ベースパネル１０１に照射されるように、前記透過部１４６(または前記入口１４５)は、前記ベースパネル１０１と上下方向に重なるように配置される。
また、前記センシングユニット８０は、前記ベースパネル１０１と離隔して前記ベースパネル１０１と上下方向に重なるように配置される。
図１２は本発明の一実施例に係る遮蔽部材の斜視図であり、図１３は本発明の一実施例に係る遮蔽部材が放熱流路に配置された状態を示す図面である。
【００７９】
図１２及び図１３を参照すると、前記遮蔽部材４０は、遮蔽ボディ４００を含むことができる。前記遮蔽ボディ４０は、薄板状に形成され、空気の通路を提供する複数のホール４０４を含むことができる。前記複数のホール４０４は、空気は通過し、一定大きさ以上の異質物は通過できないようにする。
【００８０】
図１２には、前記ホール４０４が六角形形態で形成されるものが開示されるが、これに制限されるものではなく、円形、多角形形態等多様な形態で形成されてもよい。
前記遮蔽ボディ４００の下側には固定部４０２が備えられる。前記固定部４０２は、前記遮蔽ボディ４００の下端から下方に延長される。
制限されるものではないが、複数の固定部４０２が前記遮蔽ボディ４００から水平方向に離隔してもよい。
前記固定部４００は、前記ベースパネル１０１のスロット１０１ａを貫通して前記ベース１２０の収容部１２４ａに収容される。
【００８１】
前記遮蔽ボディ４００には、前記ベースサポーター１３０との取付けのための取付ホール４０６が備えられる。取付部材は、前記取付ホール４０６を貫通して前記ベースサポーター１３０に取付けられる。
【００８２】
前記遮蔽部材４０は、上述したように前記放熱流路５９０に位置されるが、前記照明ユニット８２から照射された光が前記放熱流路５９０によって遮断されることが防止されるように、前記遮蔽部材４０は前記透過部１４６より後方に位置してもよい。
即ち、前記遮蔽部材４０は、前記透過部１４６より前記放熱流路５９０の出口５９３から遠く位置してもよい。
【００８３】
このとき、前記遮蔽部材４０が前記透過部１４６の後方に位置されるので、前記遮蔽部材４０が前記センシングユニット８０の前方を阻まないように、前記遮蔽部材４０は、前記センシングユニット８０の前面より後方に位置される。
【００８４】
よって、前記遮蔽ボディ４００は、前記遮蔽ボディ４００が前記放熱流路５９０内に引入される過程で前記センシングユニット８０との干渉を防止するための開口４０８を含むことができる。前記開口４０８は、一例として前記遮蔽ボディ４００の上側中央部に位置してもよい。
【００８５】
前記固定部４０２を除いた前記遮蔽ボディ４００の高さは、前記ベースプレート１３１と前記ベースパネル１０１の間に位置される前記放熱流路５９０の高さと同一または多少低くてもよい。そして、前記固定部４０２を含んだ前記遮蔽ボディ４００の高さは、前記ベースプレート１３１と前記ベースパネル１０１の間に位置される前記放熱流路５９０の高さより大きく形成される。
【００８６】
よって、前記遮蔽部材４０を前記放熱流路５９０内に位置させるために、前記遮蔽部材４０を傾斜した状態で前記放熱流路５９０に引入させる。そして、前記センシングユニット８０が前記開口４０８を通過するようにする。
【００８７】
次に、前記固定部４０２を前記ベースパネル１０１のスロット１０１ａを貫通して前記ベース１２０の収容部１２４ａに収容させる。前記固定部４０２を前記ベース１２０の収容部１２４ａに収容さながら前記遮蔽部材４０を床面に対して垂直するように立てることができる。そして、最終的に取付部材を前記取付ホール４０８に取付けると、前記遮蔽部材４０の設置が完了する。
図１４は、本発明の一実施例に係る冷蔵庫の垂直断面図である。
図１４を参照すると、前記冷却装置５０は、熱電モジュールを含むことができる。前記熱電モジュールは熱電素子５１２を含むことができる。
【００８８】
前記熱電モジュールは、ペルティエ効果を活用して前記貯蔵室１１１の温度を低く維持することができる。前記熱電モジュール自体は、周知技術であるので、駆動原理に関する詳しい内容は省略する。
前記熱電モジュールは、冷却シンク５１４と、ヒートシンク５１６をさらに含むことができる。
【００８９】
前記熱電素子５１２は、低温部と高温部を含むことができ、前記低温部と高温部は、前記熱電素子５１２に印加される電圧の方向によって決定される。前記熱電素子５１２の低温部が高温部より前記インナーケース１１０に近く配置される。
【００９０】
前記低温部は、前記冷却シンク５１４と接触することができ、前記高温部は、前記ヒートシンク５１６と接触することができる。前記冷却シンク５１４は、前記貯蔵室１１１を冷却させ、前記ヒートシンク５１６では放熱が行われる。
【００９１】
前記冷却装置５０は、前記貯蔵室１１１の空気を前記冷却シンク５１４に流動させる冷却ファン５２０と、外部の空気を前記ヒートシンク５１６に流動させる放熱ファン５３０をさらに含むことができる。
前記冷却ファン５２０は、前記冷却シンク５１４の前方に配置され、放熱ファン５３０は、前記ヒートシンク５１６の後方に配置される。
前記冷却ファン５２０は、前記冷却シンク５１４と対向するように配置され、前記放熱ファン５３０は、前記ヒートシンク５１６と対向するように配置される。
前記冷却ファン５２０は前記インナーケース１１０の内部に配置される。前記冷却ファン５２０はファンカバー５４０によってカバーされる。
【００９２】
前記ファンカバー５４０は、前記インナーケース１１０の内部に配置された状態で、前記インナーケース１１０の背面に結合される。前記ファンカバー５４０は、前記貯蔵室１１１と冷却流路５８０を区画することができる。
【００９３】
即ち、前記ファンカバー５４０の前方には、前記貯蔵室１１１が位置することができ、前記ファンカバー５４０の後方には、前記冷却流路５８０が位置することができる。
【００９４】
前記冷却ファン５２０は、前記貯蔵室１１１の空気を前記冷却流路５８０に流動させることができる。そして、前記冷却流路５８０に前記冷却シンク５１４が位置することができる。
【００９５】
前記冷却流路５８０に配置された前記冷却シンク５１４と熱交換された低温の空気は、再び前記貯蔵室１１１で流動して前記貯蔵室１１１内の温度を低く維持することができる。
前記ファンカバー５４０には、インナー吸入ホール５４２及びインナー吐出ホール５４４、５４６が形成される。
前記インナー吸入ホール５４２及びインナー吐出ホール５４４、５４６の個数、大きさ及び形状は、必要に応じて可変できる。
【００９６】
前記インナー吐出ホール５４４、５４６は、上部吐出ホール５４４と下部吐出ホール５４６を含むことができる。上部吐出ホール５４４は、前記インナー吸入ホール５４２の上方に位置することができ、前記下部吐出ホール５４６はインナー吸入ホール５４２の下方に位置することができる。前記構成によって前記貯蔵室１１１の温度分布が均一になる利点がある。
【００９７】
前記冷却ファン５２０は、前記インナー吸入ホール５４２と対向するように配置される。前記冷却ファン５２０の駆動時、前記貯蔵室１１１内部の空気は、前記インナー吸入ホール５４２を通じて前記冷却流路５８０に吸入され、前記冷却シンク５１４と熱交換して冷却される。
冷却された空気は、前記インナー吐出ホール５４４、５４６を通じて前記貯蔵室１１１に吐出され、これによって貯蔵室１１１の温度が低温に維持される。
【００９８】
より具体的に、前記冷却シンク５１４で冷却された空気の一部は上方に案内されて、前記上部吐出ホール５４４を通じて前記貯蔵室１１１に吐出され、他の一部は下方に案内されて、前記下部吐出ホール５４６を通じて前記貯蔵室１１１に導出される。
【００９９】
前記貯蔵室１１１の空気が前記熱電素子５１２の冷却シンク５１４と熱交換される過程で、空気が含む水分によって前記冷却シンク５１４の表面上に凝縮水が生成される。
【０１００】
生成された凝縮水は、前記インナーケース１１０の底に流れ落ちることがある。前記インナーケース１１０の底に流動した凝縮水を外部に排出させるために、前記インナーケース１１０の底には凝縮水排出管１８０が備えられる。
前記凝縮水排出管１８０は、前記インナーケース１１０と一体形成または別途に製造されて前記インナーケース１１０の底に結合される。
【０１０１】
前記ケースサポーター１３０には凝縮水案内管１３７が備えられる。前記凝縮水排出管１８０は、前記凝縮水案内管１３７の上側に連結される。一例として、前記凝縮水排出管１８０は、前記凝縮水案内管１３７の上側に挿入れてもよい。
よって、前記インナーケース１１０から前記凝縮水排出管１８０へと排出された凝縮水は、前記凝縮水案内管１３７に沿って下方に流動する。
前記ベース１２０には凝縮水が貯蔵される集水部１７０が備えられる。前記凝縮水案内管１３７の一部は、前記集水部１７０内の集水空間１７１に位置される。
【０１０２】
前記集水部１７０の底には、前記凝縮水案内管１３７の下側端部を取囲む管カバーリブ１７２が備えられ、前記管カバーリブ１７２は、前記集水部１７０の底から上方に突出する。前記管カバーリブ１７２の高さは、前記集水部１７０の高さより低く形成される。
前記冷蔵庫１は放熱流路５９０をさらに含むことができる。
外部空気は、前記放熱ファン５３０の駆動によって前記放熱流路５９０に案内され、前記ヒートシンク５１６と熱交換しながら加熱される。
前記放熱流路５９０は、前記インナーケース１１０の外部に位置することができる。
【０１０３】
前記放熱流路５９０は、前記インナーケース１１０の後方に位置したリア放熱流路５９１(第１放熱流路)と、前記インナーケース１１０の下方にしたロワー放熱流路５９２(第２放熱流路)を含むことができる。
【０１０４】
前記リア放熱流路５９１は、前記ミドルプレート１５０と前記リアパネル１６０の間に位置してもよい。一例として、前記リア放熱流路５９１は、前記ミドルプレート１５０のリアプレート１５２と前記リアパネル１６０によって形成される。
前記ヒートシンク５１６は、前記リア放熱流路５９１に配置される。前記ヒートシンク５１６は、前記放熱ファン５３０と対向するように配置される。
【０１０５】
前記リア放熱流路５９１は、前記リアパネル１６０に備えられる外気吸入ホール１６６と連通する。前記リア放熱流路５９１は、前記外気吸入ホール１６６に吸入された空気を前記ロワー放熱流路５９２に案内することができる。
【０１０６】
前記ロワー放熱流路５９２は、前記ケースサポーター１３０と前記ベース１２０の間に位置してもよい。前記ロワー放熱流路５９２は、前記リア放熱流路５９１と連通する。
前記ロワー放熱流路５９２は、前記リア放熱流路５９１で流動した空気を前記ドア２０下側の出口５９３に案内することができる。
そして、前記ロワー放熱流路５９２に前記センシングユニット８０及び前記遮蔽部材４０が位置することができる。
【０１０７】
一方、上述したように前記ベース１２０にはハンドル１２６が備えられ、前記ハンドル１２６は、前記冷蔵庫１全体的に見る時最も後側に位置する。即ち、前記冷蔵庫１の後面から前記ハンドル１２６の後方に突出する。よって、前記冷蔵庫１が壁面に隣接するように配置される場合に、前記ハンドル１２６によって壁面と前記冷蔵庫１の背面(少なくとも外気吸入ホール１６６が形成される部分)が壁と離隔して空気が流動するための空間が確保される。
【０１０８】
図１５は本発明の一実施例に係る表示部で表示される情報を示す図面であり、図１６は選択された照明モードに応じた発光部の作動方法を説明するための図面である。
【０１０９】
図１５及び図１６を参照すると、前記表示部７２０では、前記貯蔵室１１１の内部温度が表示される。前記内部温度は、複数の温度に区分して設定することができ、使用者によって選択された温度に対応する発光部がオンされた状態で表示される。
また、前記表示部７２０では、前記照明ユニット８２の作動のためのモードが表示される。
【０１１０】
前記モードは、連続オンモード、自動モード、オフモードに区分することができる。オフモードは、前記照明ユニット８２がオフされた状態を維持するモードであり、前記連続オンモードは、前記照明ユニット８２がオンされた状態を維持するモードである。
【０１１１】
前記自動モードは、前記センシングユニット８０で使用者の近接が感知されると、前記照明ユニット８２が設定された時間の間オンされた後にオフされるモードである。
前記表示部７２０は、一例として、間接照明、オフ、オンの項目を表示することができる。
制限されるものではないが、前記オフ及び前記オンは命令入力部であってもよく、前記間接照明は情報出力部であってもよい。
【０１１２】
例えば、使用者が前記オンを一回選択すると、前記自動モードが選択され、前記間接照明で光を照射する発光部がオンされる。このとき、前記発光部は、複数回点滅してからオフされてもよい。
使用者が前記オンを再選択すると、前記連続オンモードが選択される。
この場合、前記発光部がオンされた状態を維持することができる。
反面、使用者が前記オフを選択すると、前記オフモードが選択され、前記発光部はオフされる。
別の例として、複数のモードを表示する複数の発光部が備えられ、選択されたモードに対応する発光部がオンされてもよい。
本実施例に係る冷蔵庫１は、外部機器と通信できる通信モジュール(図示されない)をさらに含むことができる。
前記通信モジュールは、一例としてWi-Fi通信モジュールであってもよいが、本実施例で前記通信モジュールの種類には制限されない。
前記表示部７２０には、前記通信モジュールの通信強度が表示される。
前記表示部７２０は、前記充電用ポート７２２に充電ケーブルの連結の有無を追加表示することができる。
【図１】
2020531781.tif 000003
【図２】
2020531781.tif 000004
【図３】
2020531781.tif 000005
【図４】
2020531781.tif 000006
【図５】
2020531781.tif 000007
【図６】
2020531781.tif 000008
【図７】
2020531781.tif 000009
【図８】
2020531781.tif 000010
【図９】
2020531781.tif 000011
【図１０】
2020531781.tif 000012
【図１１】
2020531781.tif 000013
【図１２】
2020531781.tif 000014
【図１３】
2020531781.tif 000015
【図１４】
2020531781.tif 000016
【図１５】
2020531781.tif 000017
【図１６】
2020531781.tif 000018
【国際調査報告】
2020531781.tif 000019
2020531781.tif 000020
2020531781.tif 000021
2020531781.tif 000022